(57)【要約】【課題】洗濯槽内に温風等を送風する乾燥洗濯機において、上部枠体の内側や蓋体の裏側の結露を防止し、使用者に不快感を与えないようにする。【解決手段】内部に内槽４を回転自在に配設した外槽３を筐体１に防振支持し、筐体１の上部に上部枠体２１を設け、上部枠体２１に設けた衣類投入口を蓋体２２により覆うよう構成する。蓋体２２は、閉時に外周部近傍を上部枠体２１の上面に載置するよう構成し、蓋体２２の外周部近傍の裏面に、下方に凸でかつ所定幅のリブ２３ａ〜２３ｇを所定の間隔で複数個設ける。【選択図】  図１
2004337203.tif 000002
【特許請求の範囲】
【請求項１】
外槽内に回転自在に配設した内槽と、前記外槽を防振支持する筐体と、前記筐体の上部に設けた上部枠体と、前記上部枠体に設けた衣類投入口を覆う蓋体とを備え、前記蓋体は、閉時に外周部近傍を前記上部枠体の上面に載置するよう構成し、前記蓋体の前記外周部近傍の裏面に、下方に凸でかつ所定幅のリブを所定の間隔で複数個設けた洗濯乾燥機。
【請求項２】
リブは、蓋体の外周端より所定寸法内側に設けた請求項１記載の洗濯乾燥機。
【請求項３】
蓋体は、閉時に外周端がリブにより上部枠体の上面より浮く構成とした請求項１記載の洗濯乾燥機。
【請求項４】
蓋体は、閉時に外周端が上部枠体の上面より浮き、その隙間寸法が前記蓋体の後方から前方に向かい徐々に小さくなるようにした請求項１〜３のいずれか１項に記載の洗濯乾燥機。
【請求項５】
少なくとも蓋体の一部分を透明の材料で構成した請求項１〜４のいずれか１項に記載の洗濯乾燥機。
【請求項６】
蓋体の外周に外周端から所定寸法幅を有する帯状の不透明部を設け、前記帯状の不透明部にリブを設けた請求項５記載の洗濯乾燥機。
【発明の詳細な説明】
【０００１】
【発明の属する技術分野】
本発明は、洗濯槽内に温風等を送風する乾燥洗濯機に関するものである。
【０００２】
【従来の技術】
従来、この種の乾燥洗濯機は図５に示すように構成していた。以下、その構成について説明する。
【０００３】
図５に示すように、筐体１は内部に複数のサスペンション２によって弾性的に吊りさげた外槽３を設け、脱水時の振動をサスペンション２によって吸収する構成としている。外槽３の内部には、洗濯物および乾燥対象物を収容する内槽４を洗濯・脱水軸５を中心に回転可能に配設し、内槽４の内底部に洗濯物や乾燥対象物を攪拌する回転翼６を回転自在に配設している。また、内槽４の内部周壁には小穴を多数設けるとともに、上方には流体バランサー７を設けている。
【０００４】
乾燥用送風機８は、加熱手段であるヒータ９を介し、上部蛇腹ホース１０を通って内槽４へ温風を送風するよう構成している。
【０００５】
外槽３には、外槽３の上面を覆う外槽カバー１１を設けており、この外槽カバー１１に伸縮自在の上部蛇腹ホース１０からの温風噴出口１２を開口している。さらに、外槽カバー１１に内蓋１３を開閉自在に設け、衣類を出し入れするようにしている。
【０００６】
上部枠体１４は筐体１の上部を覆うもので、外蓋１５を開閉自在に有し、制御装置１６を設けるとともに内槽４に給水する給水弁１７を設けている。また、外槽３は排水管１８を連結し外槽３の上端に排水管１８と連通した溢水口１９を設け、外槽カバー１１上に水が溢れたときの水を機外に排出するようにしている（例えば、特許文献１参照）。
【０００７】
【特許文献１】
特開２００２−０４５５８９号公報
【０００８】
【発明が解決しようとする課題】
このような従来の乾燥洗濯機では、内槽４内の最も湿気を含んだ温風が溢水口１９を通過する。このとき、蒸気は上方に上がる性質があるため、溢水口１９の入口の開放部２０から蒸気が上昇し、上部枠体１４の内側や外蓋１５の裏側で結露するという問題を有していた。また、外槽カバー１１と内蓋１３との隙間から蒸気が漏れる場合があった。
【０００９】
一方、洗濯中や脱水中あるいは乾燥中の衣類の状態を確認したいため、外蓋１５の一部を透明材で構成して欲しいという使用者の要望が多い。しかし、前述した内部結露の影響によって、外蓋１５の一部を透明にすると、外蓋１５の裏面が曇ったり、結露水が付着してしまい、洗濯物の確認ができなくなるばかりでなく、不快感を与えてしまう。さらに床面を濡らすなどの問題も有していた。
【００１０】
本発明は上記従来の課題を解決するもので、上部枠体の内側や蓋体の裏側の結露を防止し、使用者に不快感を与えないようにすることを目的としている。
【００１１】
【課題を解決するための手段】
本発明は上記目的を達成するために、内部に内槽を回転自在に配設した外槽を筐体に防振支持し、筐体の上部に上部枠体を設け、上部枠体に設けた衣類投入口を蓋体により覆うよう構成し、蓋体は、閉時に外周部近傍を上部枠体の上面に載置するよう構成し、蓋体の外周部近傍の裏面に、下方に凸でかつ所定幅のリブを所定の間隔で複数個設けたものである。
【００１２】
これにより、内槽内からの湿気を含んだ温風と蒸気を外に逃がすことができ、上部枠体の内側や蓋体の裏側の結露を防止できて、使用者に不快感を与えないようにすることができる。
【００１３】
【発明の実施の形態】
本発明の請求項１に記載の発明は、外槽内に回転自在に配設した内槽と、前記外槽を防振支持する筐体と、前記筐体の上部に設けた上部枠体と、前記上部枠体に設けた衣類投入口を覆う蓋体とを備え、前記蓋体は、閉時に外周部近傍を前記上部枠体の上面に載置するよう構成し、前記蓋体の前記外周部近傍の裏面に、下方に凸でかつ所定幅のリブを所定の間隔で複数個設けたものであり、リブの先端が上部枠体と当接し、所定の間隔の隙間によって内槽内から発生した蒸気を逃がすことができ、上部枠体の内側や蓋体の裏側の結露を防止できて、使用者に不快感を与えないようにすることができる。
【００１４】
請求項２に記載の発明は、上記請求項１に記載の発明において、リブは、蓋体の外周端より所定寸法内側に設けたものであり、リブを使用者から見えにくくすることができる。
【００１５】
請求項３に記載の発明は、上記請求項１に記載の発明において、蓋体は、閉時に外周端がリブにより上部枠体の上面より浮く構成としたものであり、上部枠体と蓋体との隙間を広く確保することができ、内槽内から発生した蒸気を逃がすことができ、上部枠体の内側や蓋体の裏側の結露を防止できて、使用者に不快感を与えないようにすることができる。
【００１６】
請求項４に記載の発明は、上記請求項１〜３に記載の発明において、蓋体は、閉時に外周端が上部枠体の上面より浮き、その隙間寸法が前記蓋体の後方から前方に向かい徐々に小さくなるようにしたものであり、前から見たときに蓋体と上部枠体の隙間の違和感をなくすることができる。
【００１７】
請求項５に記載の発明は、上記請求項１〜４に記載の発明において、少なくとも蓋体の一部分を透明の材料で構成したものであり、蓋体の一部分を透明の材料で構成しても、蓋体と上部枠体とに隙間が設けられているため、蓋体が結露で曇ったり水滴が付着することはなく、乾燥中も衣類の状態を確認することができる。
【００１８】
請求項６に記載の発明は、上記請求項５に記載の発明において、蓋体の外周に外周端から所定寸法幅を有する帯状の不透明部を設け、前記帯状の不透明部にリブを設けたものであり、リブの表面側に印刷や別部品などの不透明部を設けることにより、裏面のリブを隠すことができる。例えば、リブを蓋体の機能部品である蓋ロック機構や蓋体の開閉検知用のマグネットなどと一体に隠すように蓋体の外周に外周端より所定寸法幅を帯状に不透明部を設けることにより、よりデザイン性をあげることができる。
【００１９】
【実施例】
以下、本発明の実施例について、図面を参照しながら説明する。なお、従来例と同じ構成のものは説明を省略する。
【００２０】
（実施例１）
図１に示すように、上部枠体２１は筐体１の上部に設け、この上部枠体２１に設けた衣類投入口を蓋体２２により覆っている。蓋体２２は、閉時に、外周部近傍を上部枠体２１の上面に載置するよう構成している。蓋体２２は、図２に示すように、上部枠体２１に回動自在に装着する第１の蓋体２２ａと、この第１の蓋体２２ａに回動自在に装着する第２の蓋体２２ｂとで、中折れ式に構成し、その外周部近傍の裏面には、下方に凸でかつ所定幅のリブ２３ａ〜２３ｇを所定の間隔で複数個設けている。
【００２１】
そして、リブ２３ａ〜２３ｇは、蓋体２２の外周端２４より所定寸法ｔ内側に設けている。このことによって、リブ２３ａ〜２３ｇを使用者から見えにくい位置に配置することができる。
【００２２】
さらに。リブ２９ａ〜２３ｇを蓋体２２の外周端２４より下方に凸とし、蓋体２２は、閉時に外周端２４が上部枠体２１上面より浮く構成としている。このことにより、図３に示すように、上部枠体２１と蓋体２２との隙間Ｓを広く確保することができる。
【００２３】
また、蓋体２２は、閉時に、外周端２４が上部枠体２１の上面より浮き、その隙間寸法が蓋体２２の後方から前方に向かい、徐々に小さくなるようにしている。本実施例では、前方の隙間Ｓ１＝３ｍｍとし、後方の隙間Ｓ２＝５ｍｍとして、徐々に隙間寸法を変化させている。このことによって、前から見たときに蓋体２２と上部枠体２１の隙間の違和感をなくすることができる。
【００２４】
このように本実施例によれば、蓋体２２は、閉時に外周部近傍を上部枠体２１の上面に載置するよう構成し、蓋体２２の外周部近傍の裏面に、下方に凸でかつ所定幅のリブ２３ａ〜２３ｇを所定の間隔で複数個設けたので、リブ２３ａ〜２３ｇの先端が上部枠体２１と当接し、所定の間隔の隙間によって内槽内から発生した蒸気を逃がすことができ、上部枠体２１の内側や蓋体２２の裏側の結露を防止できて、使用者に不快感を与えないようにすることができる。
【００２５】
また、リブ２３ａ〜２３ｇは、蓋体２２の外周端より所定寸法ｔ内側に設けたので、リブ２３ａ〜２３ｇを使用者から見えにくくすることができる。
【００２６】
また、蓋体２２は、閉時に外周端２４がリブ２３ａ〜２３ｇにより上部枠体２１の上面より浮く構成としたので、上部枠体２１と蓋体２２との隙間を広く確保することができ、内槽内から発生した蒸気を逃がすことができ、上部枠体２１の内側や蓋体２１の裏側の結露を防止できて、使用者に不快感を与えないようにすることができる。
【００２７】
また、蓋体２２は、閉時に外周端２４が上部枠体２１の上面より浮き、その隙間寸法が蓋体２２の後方から前方に向かい徐々に小さくなるようにしたので、前から見たときに蓋体２２と上部枠体２１の隙間の違和感をなくすることができる。
【００２８】
（実施例２）
図４に示すように、蓋体２５は、上部枠体２１に設けた衣類投入口を覆うもので、透明の材料で構成し、その外周部近傍の裏面には、下方に凸でかつ所定幅のリブ２６ａ〜２６ｇを所定の間隔で複数個設けている。このリブ２６ａ〜２６ｇの表面側に、印刷や別部品などで外周端から所定寸法幅ｕを有する帯状の不透明部（斜線部）２７を設け、裏面のリブ２６ａ〜２６ｇを隠すようにしている。他の構成は上記実施例１と同じである。
【００２９】
また、例えば、リブ２６ａ〜２６ｇを蓋体２５の機能部品である蓋ロック機構２８や蓋体２５の開閉検知用のマグネット２９などと一体に隠すように蓋体２５の外周に所定寸法幅ｕを有する帯状に不透明部２７を設けることにより、よりデザイン性をあげることができる。
【００３０】
このように本実施例によれば、少なくとも蓋体２５の一部分を透明の材料で構成したので、蓋体２５の一部分を透明の材料で構成しても、蓋体２５と上部枠体２１とに隙間が設けられているため、蓋体２５が結露で曇ったり水滴が付着することはなく、乾燥中も衣類の状態を確認することができる。
【００３１】
また、蓋体２５の外周に外周端から所定寸法幅ｕを有する帯状の不透明部２７を設け、帯状の不透明部２７にリブ２６ａ〜２６ｇを設けたので、リブリブ２６ａ〜２６ｇの表面側に印刷や別部品などの不透明部２７を設けることにより、裏面のリブ２６ａ〜２６ｇを隠すことができ、よりデザイン性をあげることができる。
【００３２】
【発明の効果】
以上のように本発明の請求項１に記載の発明によれば、蓋体は、閉時に外周部近傍を上部枠体の上面に載置するよう構成し、蓋体の外周部近傍の裏面に、下方に凸でかつ所定幅のリブを所定の間隔で複数個設けたから、内槽内からの湿気を含んだ温風と蒸気を外に逃がすことができ、上部枠体の内側や蓋体の裏側の結露を防止できて、使用者に不快感を与えないようにすることができる。
【図面の簡単な説明】
【図１】（ａ）本発明の第１の実施例の洗濯乾燥機の上面図
（ｂ）同洗濯乾燥機の一部切欠した側面図
【図２】同洗濯乾燥機の蓋体の分解上面図
【図３】同洗濯乾燥機の要部側面図
【図４】本発明の第２の実施例の洗濯乾燥機の上面図
【図５】従来の洗濯乾燥機の縦断面図
【符号の説明】
１  筐体
３  外槽
４  内槽
２１  上部枠体
２２  蓋体
２３ａ〜２３ｇ  リブ
【図１】
2004337203.tif 000003
【図２】
2004337203.tif 000004
【図３】
2004337203.tif 000005
【図４】
2004337203.tif 000006
【図５】
2004337203.tif 000007